(57)【特許請求の範囲】
【請求項１】
給油所等の土壌に掘削した穴内に配置された管に挿入される、支持棒とこの支持棒の外周に設けた汚染物質吸着材と、上記吸着材を取り巻く、上記管の内径より大径の保護カバーとより成ることを特徴とする土壌汚染検知具。
【請求項２】
上記保護カバーが耐油性の網状物であることを特徴とする請求項１記載の土壌汚染検知具。
【請求項３】
上記吸着材が複数あり、長さ方向に互いに離間して上記支持棒に設けられていることを特徴とする請求項１または２記載の土壌汚染検知具。
【請求項４】
上記管が管壁に孔を有することを特徴とする請求項１、２または３記載の土壌汚染検知具。
【発明の詳細な説明】
【０００１】
【発明の属する技術分野】
本発明は土壌汚染検知具、特に給油所等の土壌調査に用いる土壌汚染検知具に関するものである。
【０００２】
【従来の技術】
給油所等においては、地中に埋めた油貯蔵タンクやパイプ等から地中に油分等の汚染物質が漏洩しているかどうかの確認を定期的に行なう必要がある。
【０００３】
この油分等の汚染物質の漏洩の確認は、図７に示すように、地中に埋めた油貯蔵タンクやパイプ１付近の複数の場所を簡易掘削機（図示せず）により一定の深さだけ掘削し、その採取した土壌を分析して汚染物質の有無、濃度の確認を行ない、汚染していない確認が済んだ後は、従来においては、図８に示すように、上記掘削した穴２を土砂３等で埋め戻し、地表面はモルタル４等で仕上げていた。
【０００４】
また、一定期間経過したら、再度汚染物質の漏洩を確認するため、上記と同様に、油貯蔵タンクやパイプ１付近の複数の場所を簡易掘削機により一定の深さだけ掘削し、その採取した土壌を分析し、汚染物質の有無、濃度の確認を行ない、汚染していない確認が済んだ後は、上記掘削した穴２を土砂３等で埋め戻し、地表面はモルタル４等で仕上げ、これらの掘削、埋め戻し作業を油分の漏洩の確認の度に繰り返していた。
【０００５】
然しながら、上記掘削、埋め戻し作業に時間と費用がかかるため、一度掘削した穴２を埋め戻すことなく、図９に示すように、上記穴２に、その周面に複数の孔５のある筒状の管６を埋め込み、この管６内の地下水又は空気を定期的に採取して油分等の汚染物質の漏洩の有無を判断する方法がある。
【０００６】
なお、７は上記管６の外周と上記穴２との間の隙間を埋めるための土砂等である。
【０００７】
この方法においては、パイプ１からの油分等の汚染物質の漏洩がある場合には、その油分等の汚染物質は上記管６の孔５を通じて管６内に侵入し管壁を伝って落下するので、上記管６内に地下水８がある場合には、地下水８を汲み取り、その採取した地下水８を分析すれば汚染物質の有無、濃度を確認でき、また、図１０に示すように、上記管６内に地下水８がない場合には、ガス検知器９を上記管６内に挿入せしめて管内の揮発した油分等の汚染物質を調べれば、油分等の汚染物質の漏洩の確認ができる。
【０００８】
この方法によれば、一度掘削すれば、その後は点検ごとに土壌を掘削、埋め戻しをする必要がないので、時間と費用を節約することができる。
【０００９】
【発明が解決しようとする課題】
然しながら、上記従来の方法では、地下水の汚染の有無しか分からないので汚染の深度方向の情報を知ることができず、また、上記ガス検知器９を利用する場合、揮発性の少ない油種を検知しにくいという欠点があった。
【００１０】
本発明の目的はこのような問題を解決することにある。
【００１１】
【課題を解決するための手段】
本発明の土壌汚染検知具は、給油所等の土壌に掘削した穴内に配置された管に挿入される、支持棒とこの支持棒の外周に設けた汚染物質吸着材と、上記吸着材を取り巻く、上記管の内径より大径の保護カバーとより成ることを特徴とする。
【００１２】
本発明の土壌汚染検知具においては、上記保護カバーが耐油性の網状物であることを特徴とする。
【００１３】
本発明の土壌汚染検知具においては、上記吸着材が複数あり、長さ方向に互いに離間して上記支持棒に設けられていることを特徴とする。
【００１４】
【発明の実施の形態】
以下図面によって本発明の実施例を説明する。
【００１５】
本発明においては、図１及び図２に示すように、支持棒１０と、この支持棒１０の上下の外周部に夫々巻回せしめた不織布などの油等の汚染物質吸着材１１と、この吸着材１１を覆う網状の耐油性の保護カバー１２とよりなる土壌汚染検知具１３を上下に複数連結せしめたものを掘削した穴２内に埋め込んだ管６内に挿入せしめ、この土壌汚染検知具１３を定期的に外部に引き上げ、吸着材１１の状態から油分等の汚染物質の漏洩を確認する。
【００１６】
なお、１４は上記カバー１２を上記支持棒１０に固定するためのナイロン製の紐、図３は上記汚染物質検知具１３から保護カバー１２を取り外した状態を示し、１５は上記吸着材１１を上記支持棒１０に固定するための針金、図４における１６は上記各土壌汚染検知具１３の上下端を夫々連結する結合金具である。
【００１７】
また、図１において１７は上記穴２を塞ぐ蓋、１８は上記土壌汚染検知具１３を外部に引き上げるために用いる紐である。
【００１８】
また、上記耐油カバー１２の直径は、上記管６の内径より若干大きめが好ましく、また、上記管６内をスムーズに移動できるすべりの良い材質であるものが好ましい。
【００１９】
本発明においては、油分等の汚染物質の漏洩がある場合には、図１に示すように、上記管６の孔５を通じて管６内に侵入し管壁を伝って落下し、上記土壌汚染検知具１３の吸着材１１に吸着されるから、上記土壌汚染検知具１３を上記管６内から外部に取り出し、上記土壌汚染検知具１３の各吸着材１１に付着した物質を夫々分析して汚染物質の漏洩の有無、濃度、場所を確認できる。
【００２０】
また、油分等の汚染物質は上記管６の孔５を通じて管６に侵入し管壁を伝って落下して上記管６内に地下水８がある場合には、図５に示すように、地下水８の水面に浮き、上記土壌汚染検知具１３を上記管６内から外部に取り出した時に、図６に示すように、上記水面に浮いた油分等の汚染物質が上記土壌汚染検知具１３の吸着材１１に付着するから、この付着した物質を分析して汚染物質の有無、濃度の確認を行なえば、その漏洩の確認ができる。
【００２１】
なお、上記実施例においては各土壌汚染検知具１３に吸着材１１を上下に２つ設けたが、土壌汚染検知具に吸着材１１を１つだけ設けてもよく、また、３個以上設けてもよい。
【００２２】
また、上記複数の土壌汚染検知具１３を用いず、一つの細長い土壌汚染検知具のみ用いて複数の吸着材１１を所定間隔おきに設けてもよい。
【００２３】
【発明の効果】
本発明の土壌汚染検知具によれば、地下水の有無、漏洩油種（揮発性の大小）に係わらず、油分等の汚染物質の漏洩の有無を容易に調べることができるという大きな利益がある。
【００２４】
また、汚染物質の付着している吸着材１１を確認することで、汚染の深度方向の情報も正確に得ることができる。
【００２５】
また、一度土壌を掘削すれば、その後は埋め戻し、掘削を必要とせず、また、ガス検知器などを用いないので、安価に漏洩の有無を調べる事ができる。
【００２６】
また、吸着材が汚染されていない場合は再度利用することができる。
【図面の簡単な説明】
【図１】本発明の土壌汚染検知具の使用状態を説明する側面図である。
【図２】本発明の土壌汚染検知具の側面図である。
【図３】本発明の土壌汚染検知具の保護カバーを取り外した状態を示す側面図である。
【図４】本発明の土壌汚染検知具を複数連結した状態の側面図である。
【図５】本発明の土壌汚染検知具の使用状態を説明する側面図である。
【図６】本発明の土壌汚染検知具の使用状態を説明する側面図である。
【図７】従来の土壌汚染検知方法の説明用の側面図である。
【図８】従来の土壌汚染検知方法の説明用の側面図である。
【図９】従来の他の土壌汚染検知方法の説明用の側面図である。
【図１０】従来の他の土壌汚染検知方法の説明用の側面図である。
【符号の説明】
１  油貯蔵タンクやパイプ
２  穴
３  土砂
４  モルタル
５  孔
６  管
７  土砂
８  地下水
９  ガス検知器
１０  支持棒
１１  吸着材
１２  保護カバー
１３  土壌汚染検知具
１４  紐
１５  針金
１６  結合金具
１７  蓋
１８  紐
【図１】
0003605673.tif 000002
【図２】
0003605673.tif 000003
【図３】
0003605673.tif 000004
【図４】
0003605673.tif 000005
【図５】
0003605673.tif 000006
【図６】
0003605673.tif 000007
【図７】
0003605673.tif 000008
【図８】
0003605673.tif 000009
【図９】
0003605673.tif 000010
【図１０】
0003605673.tif 000011